(57)【要約】【課題】無駄を出さずに排気マニホールドを構成するパイプの曲げ加工を行うことができる排気マニホールドを提供すること。【解決手段】エンジンのシリンダヘッドに取り付けるフランジ部４から４本の排気管２１，２２，２３，２４により各気筒の排気を行う排気マニホールド１において、４本の排気管２１，２２，２３，２４の端部の径を同じ径Ｄにし、端部を略直管形状にし、端部と別の排気管の端部を接続した際にＬ７＋Ｌ６、Ｌ５＋Ｌ２、Ｌ１＋Ｌ４を０．９Ｄ〜１．８Ｄの範囲になるようにし、４本の排気管２１，２２，２３，２４を端部で接続するように組み合わせた１本物のパイプＡに曲げ加工を行った後で切断して４本の排気管２１，２２，２３，２４を形成するようにした。【選択図】        図３
2004263592.tif 000002
【特許請求の範囲】
【請求項１】
エンジンのシリンダヘッドに取り付けるフランジ部から複数の曲げパイプにより各気筒の排気を行う排気マニホールドにおいて、
複数のパイプの端部の径を同じ径Ｄにし、前記端部を略直管形状にし、前記端部と別のパイプの前記端部を接続した際に接続部分の略直管形状の長さを０．９Ｄ〜１．８Ｄの範囲になるようにし、複数のパイプを前記端部で接続するように組み合わせた１本物のパイプに曲げ加工を行った後で切断して複数のパイプが形成されることを特徴とする排気マニホールド。
【発明の詳細な説明】
【０００１】
【発明の属する技術分野】
本発明は、排気マニホールドの技術分野に属する。
【０００２】
【従来の技術】
従来の排気マニホールドを構成するパイプ（チューブ）部分は、パイプの曲げ加工を行った後に、パイプの両端を切断している（例えば、特許文献１参照。）。
【０００３】
また、排気マニホールドに４本のブランチ管を用いているものもある（例えば、特許文献２参照。）。
【０００４】
【特許文献１】
特開平６−８１６４２号公報（第３−５頁、第１図）
【０００５】
【特許文献２】
特開２００２−２７６３５７号公報（第２−３頁、第７図）
【０００６】
【発明が解決しようとする課題】
しかしながら、従来の排気マニホールドにおいて、ブランチ管のように複数のパイプ部分を設けるような場合には、そのそれぞれのパイプの曲げ加工を行った後に両端を切断していた。切断を行う理由は、パイプの端部を機械のアームで挟んで曲げ加工する長さスペースが必要なためであった。切断した部分は捨て材となるため材料がその分無駄となり、コスト負担が増えていた。
【０００７】
本発明は、上記問題点に着目してなされたもので、その目的とするところは、無駄を出さずに排気マニホールドを構成するパイプの曲げ加工を行うことができる排気マニホールドを提供することにある。
【０００８】
【課題を解決するための手段】
上記目的を達成するため、請求項１記載の発明では、エンジンのシリンダヘッドに取り付けるフランジ部から複数の曲げパイプにより各気筒の排気を行う排気マニホールドにおいて、複数のパイプの端部の径を同じ径Ｄにし、端部を略直管形状にし、端部と別のパイプの端部を接続した際に接続部分の略直管形状の長さを０．９Ｄ〜１．８Ｄの範囲になるようにし、複数のパイプを端部で接続するように組み合わせた１本物のパイプに曲げ加工を行った後で切断して複数のパイプが形成されることを特徴とする手段とした。
【０００９】
【発明の作用と効果】
よって、請求項１記載の発明では、１本物のパイプの複数箇所に接続部分としてパイプ径Ｄに対して０．９Ｄ〜１．８Ｄとなる直管部分を設けているので、この接続部分を機械で挟むなどして、接続部分間の曲げ加工を行い、その後にその接続部分で切断して複数の曲げパイプを形成する。よって、捨ててしまう端部分を少なくでき、無駄をなくし、コストの低減ができる。
なお、接続部分の略直管形状部分の長さを０．９Ｄ以下にすると、パイプの曲げに対して機械で挟んだりする部分の長さが短くなりすぎ、その部分での曲げ応力の集中が高くなりすぎて所定の箇所での所定の曲げが困難となり、１．８Ｄ以上の略直管形状部分にすると、車両への搭載性が悪くなりすぎて実用性を欠くものとなる。
【００１０】
【発明の実施の形態】
以下、本発明の排気マニホールドを実現する実施の形態を、請求項１に係る発明に対応する実施例に基づいて説明する。
【００１１】
（実施例）
【００１２】
まず、構成を説明する。
図１は実施例の排気マニホールドを示す斜視図である。図２は実施例の排気マニホールドの４本の排気管の形状を示す説明図である。図３は実施例の排気マニホールドの４本の排気管を製造する際の１本物のパイプを示す説明図である。図１〜図３における主要符号を説明すると、１は排気マニホールド、２１，２２，２３，２４は排気管（パイプ）、３は集合部、４はフランジ部、Ａは１本物のパイプ、Ｌ１〜Ｌ８は排気管の略直管形状部分の長さ、Ｄは排気管の直径である。
【００１３】
本実施例の排気マニホールド１は、図１に示すように、エンジンのシリンダヘッドに取り付けるフランジ部４の各気筒の排気口に対応する４箇所から１箇所の集合部３に集合させるように曲げ形状の排気管２１，２２，２３，２４を設ける。
この排気管２１，２２，２３，２４は、それぞれが異なる曲げ形状・長さで排気抵抗とならないよう集合させるようにしている。
【００１４】
本実施例では、図２に示すように４本の排気管２１，２２，２３，２４の端部を略直管形状の部分になるようにし、かつそれぞれの略直管形状部分の長さをＬ１〜Ｌ８とし、排気管２１，２２，２３，２４の径をＤとし４本の排気管２１，２２，２３，２４の径を同じにする。
さらに、この４本のパイプを図３のように組み合わせた際に、Ｌ７＋Ｌ６、Ｌ５＋Ｌ２、Ｌ１＋Ｌ４が０．９Ｄ〜１．８Ｄの範囲になる形状にする。
【００１５】
次に、作用を説明する。
［無駄のない製造を行う作用］
本実施例の排気マニホールド１の４本の排気管２１，２２，２３，２４を製造する際には、４本分が１本となったパイプを加工工程に投入する。このパイプの途中には、Ｌ７＋Ｌ６、Ｌ５＋Ｌ２、Ｌ１＋Ｌ４の長さとなる３箇所の略直管形状部分が設定されているので、この部分及び両端を機械のアームで挟むようにして、その間の曲げ加工を行う。Ｌ７＋Ｌ６、Ｌ５＋Ｌ２、Ｌ１＋Ｌ４の長さとなる３箇所の略直管形状部分は、それぞれが０．９Ｄ以上であるので、機械のアームでしっかり保持して曲げ加工が行える。両端は０．９Ｄ以上であるならば、十分に曲げ加工を行えるし、０．９Ｄ以下の場合にはその分長くしておき、曲げ後に切断する。
このように曲げ加工を行ったならば、切断加工をおこなって図２に示す４本の排気管２１，２２，２３，２４を形成する。このようにすれば、途中で切断して捨てる部分はなくなる。
よって、パイプの形成工程に投入するパイプ材は短くなるため、無駄をなくし、材料コスト、作業コスト、設備コストが抑制される。
【００１６】
次に、効果を説明する。
【００１７】
実施例の排気マニホールド１にあっては、下記に列挙する効果を得ることができる。
【００１８】
（１）エンジンのシリンダヘッドに取り付けるフランジ部４から４本の排気管２１，２２，２３，２４により各気筒の排気を行う排気マニホールド１において、４本の排気管２１，２２，２３，２４の端部の径を同じ径Ｄにし、端部を略直管形状にし、端部と別の排気管の端部を接続した際にＬ７＋Ｌ６、Ｌ５＋Ｌ２、Ｌ１＋Ｌ４を０．９Ｄ〜１．８Ｄの範囲になるようにし、４本の排気管２１，２２，２３，２４を端部で接続するように組み合わせた１本物のパイプＡに曲げ加工を行った後で切断して４本の排気管２１，２２，２３，２４が形成されるため、捨ててしまう端部分を少なくでき、無駄をなくし、コストの低減ができる。
【００１９】
以上、本発明の排気マニホールドを実施例に基づき説明してきたが、具体的な構成については、これらの実施例に限られるものではなく、特許請求の範囲の各請求項に係る発明の要旨を逸脱しない限り、設計の変更や追加等は許容される。
【００２０】
例えば、実施例では、排気マニホールドを構成する排気管は４本であったが、気筒数に応じた数でよい。
また、実施例では、１本物のパイプにしたが、排気管の形状が複雑な場合は、２本のパイプから形成するようにしてもよい。
さらに、排気管の組み合わせは、接続部分が０．９Ｄ〜１．８Ｄとなるならばどのような組み合わせにしてもよい。
【図面の簡単な説明】
【図１】実施例の排気マニホールドを示す斜視図である。
【図２】実施例の排気マニホールドの４本の排気管の形状を示す説明図である。
【図３】実施例の排気マニホールドの４本の排気管を製造する際の１本物のパイプを示す説明図である。
【符号の説明】
１  排気マニホールド
２１  排気管
２２  排気管
２３  排気管
２４  排気管
３  集合部
４  フランジ部
Ａ  １本物のパイプ
Ｌ１  排気管の略直管形状部分の長さ
Ｌ２  排気管の略直管形状部分の長さ
Ｌ３  排気管の略直管形状部分の長さ
Ｌ４  排気管の略直管形状部分の長さ
Ｌ５  排気管の略直管形状部分の長さ
Ｌ６  排気管の略直管形状部分の長さ
Ｌ７  排気管の略直管形状部分の長さ
Ｌ８  排気管の略直管形状部分の長さ
Ｄ  排気管の直径
【図１】
2004263592.tif 000003
【図２】
2004263592.tif 000004
【図３】
2004263592.tif 000005